(57)【要約】  逆浄化回転クリーニング型の液体フィルタにおいて、本発明は、シート部材（２００）とネジ付分割リング（２０２）を備えるアセンブリを介する一群のディスク（１７０）を取り付ける改善を提供する。
2007505741.tif 000002
【特許請求の範囲】
【請求項１】
液体フィルタデバイス（１１０）、特に浄化水のためのデバイスであって、
入口（１２０）と出口（１１６）を有するハウジング（１１２、１１４）と、
入口（１２０）に隣接して連通するハウジング（１１４）に、コア部材（１２４）を取り付けるための雌ネジ溝に結合する突当てリング（１３８）を一軸端に備える、ハウジングの内部の中央に取り付けられたコア部材（１２４）と、
入口（１２０）からの水流が半径方向におけるフィルタ部材に入り、出口（１１６）を通って排出され、フィルタ浄化の流れが逆循環する間も同様になるように、コア部材（１２４）により支持されたディスク型フィルタ部材（１７０）と、
ピストン（１５８）と、他軸側でフィルタ部材に対し突き当て、ピストンと連動する置換可能な部材（１６０）とを備え、コア部材（１２４）に取り付けられたピストンアセンブリ（１４０）と、を備え、
コア部材（１２４）の取付けは、雌ネジ溝に適合する雌ネジ付分割リング（２０２）を備え、円形に収束した円錐形トラフ（２００ｂ）は、分割リングを取り囲み、ハウジングに固定して取り付けられ、
共にネジ付けられるように配列し、分割リングが突当てリング（１３８）へ引き付けられ、その結果トラフの円錐形壁に対して自ら締め付けられることを特徴とするデバイス。
【請求項２】
前記トラフは、分割リングが、小直径の中に、伸縮自在に締め付けることにより、その中にはめ込まれることを可能にするための、少なくとも一方が開口している分割リング（２００ａ）であることを特徴とする請求項１に記載のデバイス。
【請求項３】
前記トラフは、フィルタ部材の入口（１２０）にコア部材（１２４）を繋げる取付部品（２００）が、一体的に形成されることを特徴とする請求項２に記載のデバイス。
【請求項４】
分割リング（２０２）の自由回転を防止するためにトラフの内部にストッパ（２００ｄ）が設けられていることを特徴とする、請求項３に記載のデバイス。
【請求項５】
ピストンアセンブリは、ピストンの進行量の制限手段を設けられることを特徴とする請求項１に記載のデバイス。
【請求項６】
前記手段は、所定の圧縮をうけてピストンの行程を制限するために設計されたコイルの数と大きさのコイルばね（２５２）を備えることを特徴とする請求項５に記載のデバイス。
【請求項７】
並列に作用する複数のフィルタデバイスのとして使用する請求項１から請求項６のいずれかに記載のデバイス。
【請求項８】
直列に作用する複数のフィルタデバイスのとして使用する請求項１から請求項６のいずれかに記載のデバイス。
【発明の詳細な説明】
【技術分野】
【０００１】
本発明は、液体フィルタに関し、特に、水の浄化システムに関するものであるが、他の産業または家庭内での用途にもまた有用である。
【背景技術】
【０００２】
より具体的には、本発明は、２００２年６月４日に発行された我々の米国特許第６３９８０３７号（以下に、「当該特許」という。）明細書に開示された形式のフィルタデバイスに関連し、当該特許の内容は、参照することにより取り込まれる。
【０００３】
当該特許は、ディスクの上に水の噴流が衝突する影響によりディスクの回転が引き起こされる、逆浄化水流サイクルを用いる、一群のフィルタディスク（以下、「回転クリーンフィルタ」という。）を利用するフィルタデバイスに関する。
【０００４】
ここに開示される発明のより良い理解のために、フィルタデバイスの逆流回転クリーニングステージを描く図１を参照するものとする（このフィルタディスクは、回転クリーニングステージが、当該特許の範囲に包含されると理解される特徴である外圧コマンドにより誘発されるのではなく、逆流自体により誘発されるのを除いては当該特許の図１０と同様である）。
【発明の開示】
【発明が解決しようとする課題】
【０００５】
当該特許において指示する数字と同じものを使用するに、出口２０を通って入れられた水（または他の液体）は、導管３０ａ（および不図示の導管３０ｂと３０ｃ）の内部へ流れ込み、開口１０２ａ（当該特許に例示された実施形態では存在しない）を通ってシリンダピストンアセンブリ２８のシリンダ空間４０へ流れ込む。バネ５２の力を超えるに十分な圧力の下では、キャップ部材６０に伴ってピストン５８が、フィルタ１０の遠位端に向かって滑り、その結果、一群のフィルタディスク７０の締め付けを解放する。ピストン５８の行程は、ハウジング部材１２に形成された突起１０４（当該特許図面には言及されないが示される）により制限される。後に説明されるように、これはピストンの前進を停止するために、付加的な、外部の要素として必要であり、不都合であると判明された。それ故、本発明の１つの特徴により除かれる。次にフィルタデバイス１０の近位端を検討するに、フィルタディスクが固定部材のネジ付リング部３８に押し付けられている。それによって、主要なフィルタコア部材２４の全体がネジ付リング８２を介してフィルタハウジング構造体１４に取り付けられる。この取り付けまたは結合の配列は、以下詳細に説明されるように、改良する価値があると判明した。
【課題を解決するための手段】
【０００６】
本発明の一形態によれば、液体フィルタデバイス、特に浄化水のためのデバイスであって、入口と出口を有する円筒のハウジングと、入口から出口への水流が半径方向におけるフィルタ部材に入り、出口を通って排出され、フィルタ浄化の流れが逆循環する間も同様になるように、ハウジングの内部に取り付けられた円筒のフィルタ部材と、フィルタ部材に支持されて形成され、画成された円筒空間の内部の中央に取り付けられたコア部材と、その一軸端にフィルタ部材に対して突き当てる固着部材と、ピストンと、ピストンに連結し、他軸側のフィルタ部材に対して突き当てる置換可能部材を備えるコア部材に取り付けられたピストンアセンブリとを備え、前記コア部材の取り付けは、前記固着部材の部分を形成する雌ネジ溝と、雌ネジ溝に適合する雌ネジ付分割リングと、前記ハウジングに固定して取り付けられたリングを取り囲む収束円錐形トラフとを備え、共にネジ付けるように配列し、リングが固着部材に引き付けられ、その結果円錐トラフの内部に擦られるように押し付けることにより自ら締め付けることを特徴とする。
【０００７】
本発明の他の形態によれば、ピストンアセンブリは、所定の圧迫による、ピストンの工程を制限するように設計されたコイルの数と大きさのコイルバネのような、ピストンの進行量の制限手段が設けられる。
【発明を実施するための最良の形態】
【０００８】
これらのおよび更なる本発明の構成上の特徴と利点が、ほんの一例として、添付図面を参照しつつ好適な実施形態の以下の説明に照らして、より明確に理解されるであろう。
【０００９】
図２に明確に示されるように、ハウジング部材１１４の入口／出口への一群のフィルタディスク１７０の取り付け方法が、変更されている。ネジ付リング８２（図１）ではなく、図３乃至図７により詳細に示される、シート部材２００とネジ付分割リング２０２からなるアセンブリが設けられている。
【００１０】
シート部材２００には、円形リム２００ａと収束円錐形壁２００ｂと平面放射状壁２００ｃとにより画成された円形トラフ部が形成されている。
【００１１】
シート部材２００は、出口と一体的に形成されるように示されるが、溶着によるような他の変形を用いてもよい。
【００１２】
リング２０２は、示されるように割れていて、リム２００ａにより画成された開口よりも小さい小径の中へ押し込むことにより、その閉鎖を可能にする（図５）ための収縮素材または弾性物質により作成される
リング２０２の外面２０２ａは、シート円錐壁２００ｂと同じ角度だけ傾斜されている。内側には、コア部材リング１３８の内側に適合するネジ溝が設けられている。
【００１３】
リング２０２の高さは、リム２００ａと放射状の壁２００ｃの内面の間の距離より小さい。
【００１４】
コア部材１２４の装着は、以下の方法で完成される。分割リング２０２は、その内部に閉鎖して設置するために押し込むことにより、トラフ部分の内部に挿入される。そこで、リングが部分的に開口状態に回復する（図７ａ）。この位置で、リング１３８のネジ溝と分割リング２０２のネジ溝が適合するように設計される。
【００１５】
相対的な回転が生ずるとき、分割リングは、ある位置（図７ｂ）に至るまで円錐形の壁２００ｂに沿って、引き上げられる。その結果、完全な固定により、それ自身の締め付け作用が発生し、ネジ付部材のそれぞれのシールされた連結が、当該特許の構造（図１）より効果的な方法で実現される。
【００１６】
必要ならば、斜めにされたリング部２００ａとシート壁部２００ｂの間の摩擦が不充分かもしれない少なくとも最初の動作において、２つの部品が一緒に回転するのを防止するために、突起２００ｄのような停止手段が受けられてもよい。
【００１７】
保守または交換を目的のためには、逆の順にシート部材２００からコア部材１２４を取り外せばよい。
【００１８】
次にフィルタデバイス１１０の遠位側を検討するに、コイルの数と直径を適切に選択することにより、バネ２５２が、ピストン１５８（およびキャップ部材１６０）の行程を制限する、自動的なストッパとして機能することが、容易に理解されるであろう。
【００１９】
この一見したところ、軽度であり、ほとんど自明な変更であるが、停止キャップ（１４０−図１）を完全になくすという利点を提示している。さらに、ピストンの行程の長さは、ハウジングの寸法に無関係に制御され、選択され得る。
【００２０】
この変更は、フィルタデバイスが並列または直列のどちらかの一群で使用されるとより効果的である。
【００２１】
図８において、５つの一群のフィルタデバイス３１０（３つしか示されないが）のの並列の作動が示される。フィルタは、前述または他の配置により、ハウジング部材３１４の入口／出口に形成された共通の基底に取り付けられる。
【００２２】
シリンダとピストンアセンブリ３２８は、外部の突き当てることによるストッパ手段（図１のキャップ１０４）よりもピストンストローク限定手段の全体を組み込むことが、今まで述べたことにより知ることは価値がある。これは、他のハウジング部材３１２の設計と構造を簡単にする。
【００２３】
図９のフィルタデバイス４１０は、例えば液体の非常に細かいろ過を達成するために、共通の入口と出口の間に縦一列になって作動する。
【００２４】
この構造のタイプは、本発明により提案される自己制限ピストンストローク手段の実装にのみ使用可能となる。
【００２５】
当業者は、添付の請求項によって定義されるように、多数の変形、変更と修正が、本発明の趣旨および範囲から逸脱することなくなされることが容易に理解されよう。
【図面の簡単な説明】
【００２６】
【図１】回転クリーニング操作モードの逆浄化流における前記発明のフィルタデバイスの縦断面図である。
【図２】本発明の改良を取り入れたフィルタデバイスの断面図である。
【図３】組立て前の分割リングを示す。
【図４】分割リングのシート部材を示す。
【図５】シート部材へ挿入する事前状態の分割リングを示す。
【図６】分割リングの取り付けられた状態を示す。
【図７ａ】コア結合リングと分割リングの連結の初期状態を示している部分断面図である。
【図７ｂ】連結の最終状態を示す。
【図８】並列に設置された一群のフィルタデバイスの概略図である。
【図９】直列に設置された複数のフィルタデバイスの概略図である。
【図１】
2007505741.tif 000003
【図２】
2007505741.tif 000004
【図３】
2007505741.tif 000005
【図４】
2007505741.tif 000006
【図５】
2007505741.tif 000007
【図６】
2007505741.tif 000008
【図７ａ】
2007505741.tif 000009
【図７ｂ】
2007505741.tif 000010
【図８】
2007505741.tif 000011
【図９】
2007505741.tif 000012
【国際調査報告】
2007505741.tif 000013
2007505741.tif 000014